(57)【要約】【課題】  被測定者のリラックス状態を判定し、被測定者をリラックスさせた状態で循環器機能を測定することができる循環器機能測定システムを提供する。【解決手段】  循環器機能測定システム１００は、被測定者をリラックス状態に誘導する誘導部１と、被測定者のリラックス状態を判定する状態判定部２と、被測定者の循環器機能を測定する機能測定部３とを備える。誘導部１が被測定者に刺激を与え、状態判定部２がリラックスした状態であると判定したことに応じて、機能測定部３が循環器機能を測定する。これにより、循環器機能システム１００は、被測定者をリラックスさせた状態で循環器機能を測定することができるので、信頼性の高い測定結果を得ることができる。【選択図】図１
2007097615.tif 000002
【特許請求の範囲】
【請求項１】
被測定者をリラックスした状態に誘導させる刺激を被測定者に与える誘導部と、
被測定者のリラックス状態を判定する状態判定部と、
前記状態測定部により被測定者がリラックス状態にあると判定されたときに、被測定者の循環器機能を測定する機能測定部とを備えたことを特徴とする循環器機能測定システム。
【請求項２】
前記状態判定部による判定結果を報知する状態報知部をさらに備えたことを特徴とする請求項１に記載の循環器機能測定システム。
【請求項３】
前記状態判定部により判定された被測定者のリラックス状態に応じて、前記機能測定部の開始時間を制御する開始時間制御部をさらに備えたことを特徴とする請求項１又は請求項２に記載の循環器機能測定システム。
【請求項４】
前記状態判定部による判定内容に応じて前記誘導部の動作内容を設定する制御部をさらに備えたことを特徴とする請求項１乃至請求項３のいずれかに記載の循環器機能測定システム。
【請求項５】
前記状態判定部は、前記機能測定部による循環器機能の測定前又は測定中における被測定者のリラックス状態を判定し、
前記状態判定部による判定結果に基づいて、前記機能測定部による測定値の信頼性を評価する信頼性評価部と、
前記信頼性評価部により評価された信頼性を報知する信頼性報知部とをさらに備えたことを特徴とする請求項１乃至請求項４のいずれかに記載の循環器機能測定システム。
【請求項６】
前記状態判定部は、前記機能測定部が循環器機能を測定する前、又は循環器機能を測定中の被測定者のリラックス状態を判定し、
前記状態判定部による判定結果に基づいて、前記機能測定部により測定した循環器機能測定値を補正する測定結果補正部をさらに備えたことを特徴とする請求項１乃至請求項５のいずれかに記載の循環器機能測定システム。
【請求項７】
前記誘導部は、被測定者に対して複数の異なるリラックス誘導動作を実行することにより、被測定者を精神的かつ肉体的にリラックス状態に誘導させることを特徴とする請求項１乃至請求項６のいずれかに記載の循環器機能測定システム。
【請求項８】
前記状態判定部は、前記誘導部の稼動時間を測定する稼働時間測定部を備え、
この稼働時間測定部により測定した誘導部の稼動時間に基づいて被測定者のリラックス状態を判定することを特徴とする請求項１乃至請求項７のいずれかに記載の循環器機能測定システム。
【請求項９】
前記状態判定部は、被測定者の生体情報を測定する生体情報測定部と、
この生体情報測定部が測定した生体情報を分析する生体情報分析部とを備え、
前記生体情報分析部による分析結果に基づいて被測定者のリラックス状態を判定することを特徴とする請求項１乃至請求項８のいずれかに記載の循環器機能測定システム。
【請求項１０】
前記状態判定部は、精神的なリラックス状態を判定する精神状態判定部と、
肉体的なリラックス状態を判定する肉体状態判定部とを備えたことを特徴とする請求項１乃至請求項９のいずれかに記載の循環器機能測定システム。
【請求項１１】
前記誘導部は、順次、被測定者に対して複数の異なるリラックス誘導動作を実行し、
夫々のリラックス誘導動作毎に被測定者の生体に関する生体データを測定する生体データ測定部と、
前記生体データ測定部により測定された生体データを分析する生体データ分析部と、
前記生体データ分析部による分析結果に応じて一のリラックス誘導動作を選択する誘導動作選択部とをさらに備えたことを特徴とする請求項１乃至請求項１０のいずれかに記載の循環器機能測定システム。
【請求項１２】
前記機能測定部による測定結果に基づいて、循環器機能の改善のためのリラックス誘導動作を選択する改善動作選択部をさらに備え、
前記誘導部は、前記改善動作選択部により選択されたリラックス誘導動作を実行することを特徴とする請求項１乃至請求項１１のいずれかに記載の循環器機能測定システム。
【請求項１３】
前記機能測定部は、被測定者の脈波を測定する脈波測定部と、
この脈波測定部が測定した脈波を分析する脈波分析部とを備え、
この脈波分析部による分析結果に基づいて被測定者の循環器機能を推定することを特徴とする請求項１乃至請求項１２のいずれかに記載の循環器機能測定システム。
【発明の詳細な説明】
【技術分野】
【０００１】
本発明は、被測定者をリラックスさせた状態で循環器機能を測定する循環器機能測定システムに関する。
【背景技術】
【０００２】
血圧や血管の硬さなどの循環器機能の測定は、被測定者がリラックスした状態で行われることが望ましい。これは、被測定者が緊張していると血圧が上昇し、血管壁にかかる内圧が高くなり本来の血管の器質的な硬さより硬くなる機能的硬化により、平常時の循環器機能が正しく測定されないからでる。そこで、例えば、特許文献１及び特許文献２に示されるように、循環器機能の測定時に被測定者の緊張を和らげるために、動画像を表示させる表示部を備えた循環器機能測定装置や、音楽が流れる機能を備えた循環器機能測定装置が知られている。
【０００３】
しかしながら、特許文献１及び特許文献２に示される技術においては、循環器機能測定装置に被測定者の緊張を和らげる機能が付加されているだけであって、実際に被測定者の緊張が和らげられているか否かを判定することができなかった。また、特許文献３に示されるように、被測定者のリラックス度を判定し、この判定結果に応じた刺激を人体に与えるリラックス装置が知られている。しかしながら、特許文献３に示される技術においては、被測定者の循環器機能を測定する機能を備えていないため、被測定者の循環器機能を測定することができなかった。
【特許文献１】特開２００３−１３５４０５号公報
【特許文献２】特公平７−５３１５６号公報
【特許文献３】特開平９−０７０３９９号公報
【発明の開示】
【発明が解決しようとする課題】
【０００４】
本発明は、上記従来例の問題を解決するためになされたものであり、被測定者が緊張していない状態で循環器機能を測定するために、被測定者をリラックスさせる刺激を被測定者に与え、被測定者のリラックス状態を判定し、被測定者をリラックスさせた状態で循環器機能を測定することにより、信頼性の高い循環器機能測定値を得ることができる循環器機能測定システムを提供することを目的とする。
【課題を解決するための手段】
【０００５】
上記目的を達成するために請求項１の発明は、被測定者をリラックスした状態に誘導させる刺激を被測定者に与える誘導部と、被測定者のリラックス状態を判定する状態判定部と、状態測定部により被測定者がリラックス状態にあると判定されたときに、被測定者の循環器機能を測定する機能測定部とを備えたようにしたものである。
【０００６】
また、請求項２の発明は、請求項１の循環器機能測定システムにおいて、状態判定部による判定結果を報知する状態報知部をさらに備えたようにしたものである。
【０００７】
また、請求項３の発明は、請求項１または請求項２の循環器機能測定システムにおいて、状態判定部により判定された被測定者のリラックス状態に応じて、機能測定部の開始時間を制御する開始時間制御部をさらに備えたようにしたものである。
【０００８】
また、請求項４の発明は、請求項１乃至請求項３のいずれかの循環器機能測定システムにおいて、状態判定部による判定内容に応じて誘導部の動作内容を設定する制御部をさらに備えたようにしたものである。
【０００９】
また、請求項５の発明は、請求項１乃至請求項４のいずれかの循環器機能測定システムにおいて、状態判定部は、機能測定部による循環器機能の測定前又は測定中における被測定者のリラックス状態を判定し、状態判定部による判定結果に基づいて、機能測定部による測定値の信頼性を評価する信頼性評価部と、信頼性評価部により評価された信頼性を報知する信頼性報知部とをさらに備えたようにしたものである。
【００１０】
また、請求項６の発明は、請求項１乃至請求項５のいずれかの循環器機能測定システムにおいて、状態判定部は、機能測定部が循環器機能を測定する前、又は循環器機能を測定中の被測定者のリラックス状態を判定し、状態判定部による判定結果に基づいて、機能測定部により測定した循環器機能測定値を補正する測定結果補正部をさらに備えたようにしたものである。
【００１１】
また、請求項７の発明は、請求項１乃至請求項６のいずれかの循環器機能測定システムにおいて、誘導部は、被測定者に対して複数の異なるリラックス誘導動作を実行することにより、被測定者を精神的かつ肉体的にリラックス状態に誘導させるようにしたものである。
【００１２】
また、請求項８の発明は、請求項１乃至請求項７のいずれかの循環器機能測定システムにおいて、状態判定部は、誘導部の稼動時間を測定する稼働時間測定部を備え、この稼働時間測定部により測定した誘導部の稼動時間に基づいて被測定者のリラックス状態を判定するようにしたものである。
【００１３】
また、請求項９の発明は、請求項１乃至請求項８のいずれかの循環器機能測定システムにおいて、状態判定部は、被測定者の生体情報を測定する生体情報測定部と、この生体情報測定部が測定した生体情報を分析する生体情報分析部とを備え、生体情報分析部による分析結果に基づいて被測定者のリラックス状態を判定するようにしたものである。
【００１４】
また、請求項１０の発明は、請求項１乃至請求項９のいずれかの循環器機能測定システムにおいて、状態判定部は、精神的なリラックス状態を判定する精神状態判定部と、肉体的なリラックス状態を判定する肉体状態判定部とを備えたものである。
【００１５】
また、請求項１１の発明は、請求項１乃至請求項１０のいずれかの循環器機能測定システムにおいて、誘導部は、順次、被測定者に対して複数の異なるリラックス誘導動作を実行し、夫々のリラックス誘導動作毎に被測定者の生体に関する生体データを測定する生体データ測定部と、生体データ測定部により測定された生体データを分析する生体データ分析部と、生体データ分析部による分析結果に応じて一のリラックス誘導動作を選択する誘導動作選択部とをさらに備えたものである。
【００１６】
また、請求項１２の発明は、請求項１乃至請求項１１のいずれかの循環器機能測定システムにおいて、機能測定部による測定結果に基づいて、循環器機能の改善のためにリラックス誘導動作を選択する改善動作選択部をさらに備え、誘導部は、改善動作選択部により選択されたリラックス誘導動作を実行するようにしたものである。
【００１７】
また、請求項１３の発明は、請求項１乃至請求項１２のいずれかの循環器機能測定システムにおいて、機能測定部は、被測定者の脈波を測定する脈波測定部と、この脈波測定部が測定した脈波を分析する脈波分析部とを備え、この脈波分析部による分析結果に基づいて被測定者の循環器機能を推定するようにしたものである。
【発明の効果】
【００１８】
請求項１の発明によれば、被測定者をリラックスさせた状態で循環器機能を測定することができるので、信頼性の高い測定結果を得ることができる。
【００１９】
請求項２の発明によれば、状態報知部は、被測定者のリラックス状態を報知するので、被測定者は容易にリラックス状態を知ることができる。
【００２０】
請求項３の発明によれば、開始時間制御部は、状態判定部による被測定者のリラックス状態に応じて機能測定部を動作させるので、被測定者は、機能測定部が開始したか否かを意識する必要がなくなり、よりリラックスし易い環境で循環器機能の測定を受けることができる。
【００２１】
請求項４の発明によれば、状態判定部による判定内容に応じて誘導部の動作時間や動作種類が適宜変更されるので、被測定者を容易にリラックスした状態に誘導することができる。
【００２２】
請求項５の発明によれば、信頼性評価部により評価した循環器機能測定値（以下、測定値と略す）の信頼性が報知されるので、被測定者は、容易に測定値の信頼性を判断することができる。
【００２３】
請求項６の発明によれば、測定結果補正部により測定値が補正されるので、被測定者は、機能測定部による測定値の信頼性が低いときであっても、測定し直すことなく信頼性の高い測定値を得ることができる。
【００２４】
請求項７の発明によれば、誘導部により被測定者は精神的かつ肉体的にリラックスした状態に誘導されるので、より信頼性の高い測定値を得ることができる。
【００２５】
請求項８の発明によれば、簡便に被測定者のリラックス状態を判定することができる。
【００２６】
請求項９の発明によれば、被測定者のリラックス状態を正確に判定することができる。
【００２７】
請求項１０の発明によれば、被測定者のリラックス状態を正確に判定することができる。
【００２８】
請求項１１の発明によれば、被測定者を効果的にリラックスさせるリラックス誘導動作が選択されるので、被測定者を効率良くリラックス状態に誘導することができる。
【００２９】
請求項１２の発明によれば、循環器機能の測定結果に基づいて、被測定者の循環器機能改善のためのリラックス誘導動作が選択されるので、被測定者の循環器機能の改善を促すことができる。
【００３０】
請求項１３の発明によれば、脈波分析結果に基づいて循環器機能が推定されるので、測定値の信頼性を高めることができる。
【発明を実施するための最良の形態】
【００３１】
以下、本発明の第１の実施形態に係る循環器機能測定システム（以下、本システムという）について、図面を参照して説明する。図１は、本発明の第１の実施形態における本システムの構成を示し、図２は、本システムの構成を示す。本システム１００は、誘導部１と、状態判定部２と、機能測定部３と、中央処理部３００を備える。誘導部１は、被測定者をリラックス状態に誘導し、状態判定部２は、被測定者のリラックス状態を判定する。機能測定部３は、被測定者の循環器機能を測定し、中央処理部３００は、誘導部１と状態判定部２と機能測定部３とを含む循環器測定システム１００全体を制御する。誘導部１は、画像を表示する画像表示部１０１と、音声又は楽曲を発生させる音声楽曲発生部１０２と、被測定者をマッサージするマッサージ機構部１０３と備える。画像表示部１０１は、例えば、ＣＲＴディスプレイやプラズマディスプレイ等の表示装置であり、被測定者をリラックス状態に誘導する静止画像又は動画を表示する。音声楽曲発生部１０２は、被測定者をリラックス状態に誘導する音声や楽曲を発生させる。マッサージ機構部１０３は、もみ玉やエアーバッグ等の施療子により被測定者の身体の各部位とマッサージして被測定者をリラックス状態に誘導する。
【００３２】
状態判定部２は、被測定者の指尖の脈波を測定することにより被測定者のリラックス状態を判定する指尖脈波計１０４（以下、脈波計という）を備える。脈波計１０４は、発光ダイオードとフォトトランジスタとで構成される光電センサを備える。脈波計１０４は、フォトトランジスタが発光ダイオードから動脈に照射された赤外光の反射光を受け、その反射光量に基づいて、心臓の拍動に同期した血管の容積変化を脈波として検出する。機能測定部３は、被測定者の上腕部に装着されて被測定者の脈波を測定するカフ（ｃｕｆｆ）３０１を備える。カフ３０１は、被測定者の所定部位を圧迫する圧迫帯であり、被測定者の所定部位に巻回された状態で取り付け可能なゴム製の袋により構成されている。カフ３０１は、後述する圧力検出部３０３及び圧迫圧力制御部３０４（以下、圧力制御部という）と連通管３０２を介して接続されている。
【００３３】
図３は、本発明の第１の実施形態に係る状態判定部２の構成を示す。リラックス状態判定部２は、指尖脈波測定部２１（以下、測定部という）と、指尖脈波分析部２２（以下、分析部という）と、状態出力部２０５とを備える。測定部２１は、被測定者の指尖の脈波を測定し、分析部２２は、この測定部２１が測定した脈波を分析する。状態出力部２０５は、リラックス状態の評価結果を出力する。分析部２２は、脈波間隔算出部２０２（以下、間隔算出部という）と、指標算出部２０３と、状態評価部２０４とを備える。間隔算出部２０２は、脈波計１０４で検出した複数の脈波から、その脈波の出現時間間隔（以下、脈波間隔という）を算出し、指標算出部２０３は、間隔算出部２０２が算出した脈波間隔を分析し脈波間隔の変動度合いからリラックス状態に係わる指標を定量的に算出する。状態評価部２０４は、指標算出部２０３が算出した定量的なリラックス指標値に基づいて、予め設定された評価基準から被測定者のリラックス状態を評価する。ここで、状態出力部２０５とは、例えば、状態評価部２０４が評価した結果を被測定者に報知する表示装置、又は音声発生装置であるが、機能測定部３へ制御信号を出力する回路であってもよい。
【００３４】
次に、状態判定部２が、被測定者のリラックス状態を判定する方法について説明する。間隔算出部２０２は脈波間隔を算出し、指標算出部２０３は、この脈波間隔を分析して脈拍数や脈波間隔の変動度合いからリラックス状態に関わるリラックス指標を定量的に算出する。状態評価部２０４は、指標算出部２０３が算出した定量的なリラックス指標値に基づいて、被測定者のリラックス状態を評価する。リラックス状態の評価は、例えば、脈波間隔より１分間あたりの脈拍数を算出し、脈拍数が予め設定された評価基準により多いときは緊張しており、少ないときはリラックスしていると評価してもよい。また、リラックス状態の評価は、脈波間隔の変動を周波数解析することにより、一般に心拍変動の解析で用いられる高周波成分（ＨＦ：Ｈｉｇｈ  Ｆｒｅｑｕｅｎｃｙ）と低周波成分（ＬＦ：Ｌｏｗ  Ｆｒｅｑｕｅｎｃｙ）を算出し、副交感神経の活動度をＨＦで評価し、交感神経の活動度をＬＦ／ＨＦで評価してもよい。さらには、所定時間における脈波間隔の分布の標準偏差と算術平均を算出し、標準偏差の算術平均に対する比である変動係数を算出することにより評価してもよい。
【００３５】
また、リラックス状態の評価は、リラックス状態では副交感神経が優位になるので、ＲＲ間隔の平均値が長くなり、周期的に変動することを用いても構わない。ＲＲ間隔とは、心電図成分のＲ波と次のＲ波の間隔のことであり、Ｒ波とは、心電図成分において、血液を左心室から大動脈に送り出すときに生じる波である。さらに、リラックス状態の評価は、心電図のＲＲ間隔の代わりに、脈波や脈波を微分した速度脈波、脈波を２回微分した加速度脈波を用いて、その間隔の変動を各波形の特徴量（脈波の立ち上がり点やピーク点、変曲点等）間の間隔より算出し、心電図のＲＲ間隔の変動に対応させてもよい。そして、脈波間隔より得られたリラックス指標値とリラックス度合いを対応させ、リラックス度を判定する。ここで、リラックス度とは、例えば、リラックスしていない状態からリラックスしている状態を順に第１段階から第５段階として判定するように予め設定しておき、脈波計１０４で計測した脈波からリラックス度を判定する。
【００３６】
リラックス度のレベル分けは、例えば、予め被測定者の安静状態における脈拍数Ｐｓを計測しておき、リラックス状態判定時の脈拍数Ｐｒとの差であるＰｒ−Ｐｓが−２０拍より少なければ、第１段階（リラックス状態「低い」）、−１０拍〜−２０拍であれば、第２段階（リラックス状態「少し低い」）、±１０拍以内であれば、リラックス状態第３段階目（標準）、＋１０拍〜＋２０拍であれば、第４段階（リラックス状態「少し高い」）、+２０拍を超えれば、第５段階（リラックス状態「高い」）とする。このリラックス度のレベル分けを整理すると表１となる。
【表１】
2007097615.tif 000003
また、被測定者の脈拍数をある所定時間計測し、その平均値と標準偏差から、Ｐｒ−Ｐｓが標準偏差+２を超えれば第１段階、標準偏差＋１〜標準偏差＋２であれば第２段階、標準偏差±１以内であれば第３段階目、標準偏差−１〜標準偏差−２であれば第４段階、標準偏差−２より少なければ第５段階と判定してもよい。
【００３７】
図４は、本発明の第１の実施形態に係る機能測定部３の構成を示す。機能測定部３は、上腕脈波測定部３１（以下、測定部という）と、上腕脈波分析部３２（以下、分析部という）と、機能結果出力部３１０とを備える。測定部３１は、カフ３０１で被測定者の脈波を測定し、分析部３２は、この測定部３１が測定した脈波を分析する。機能結果出力部３１０は、この分析部３２による判定結果を出力する。測定部３１は、圧力検出部３０３と、圧力制御部３０４と、脈波検出処理部３０５（以下、検出処理部という）と、脈波圧力検出部３０６（以下、圧力検出部という）と、脈波データ記憶部３０７（以下、データ記憶部という）とを備える。圧力検出部３０３は、カフ３０１内の圧力を検出し、圧力制御部３０４と、は、カフ３０１の圧迫圧力を変化させる。検出処理部３０５は、動脈の脈波を検出し所定の処理を行い、圧力検出部３０６は、脈波を検出した時点のカフ３０１内の圧力を検出する。データ記憶部３０７は、検出された脈波に関するデータを記憶する。分析部３２は、脈波特徴量算出部３０８（以下、特徴量算出部という）と、機能判定部３０９とを備える。特徴量算出部３０８は、脈波の特徴を数値として算出し、機能判定部３０９は、この特徴量算出部３０８が算出した数値から循環器機能を判定する。
【００３８】
圧力制御部３０４は、連通管３０２を介してカフ３０１に接続されており、カフ３０１内に気体を供給することによりカフ３０１内の圧力を加圧する加圧ポンプと、カフ３０１内の気体を排気することによってカフ３０１内の圧力を減圧する排気弁とを備える。また、圧力制御部３０４は、中央処理部３００の制御信号に従って、カフ３０１内の圧力が被測定者の予想される最高血圧より高い所定の圧力になるようにカフ３０１内の圧力を加圧し、その後、徐々にカフ３０１内の圧力を減圧する。圧力検出部３０３は、連通管３０２を介してカフ３０１に接続されており、所定のサンプリング間隔でカフ３０１内の圧力を検出し、この検出した圧力を検出処理部３０５に出力する。ここで、圧力検出部３０３は、例えば、圧力を電圧に変換することによって圧力を検出する圧力センサと、圧力センサの出力をアナログ信号からディジタル信号に変換するアナログ／ディジタル変換器（Ａ／Ｄ変換器）とを備える。
【００３９】
検出処理部３０５は、圧力検出部３０３の出力から直流成分等の所定の周波数成分をカットするフィルタ回路を備える。検出処理部３０５は、圧力検出部３０３が検出した圧力から所定の周波数成分をカットすることによって脈波信号を生成し、この生成した脈波信号から脈波情報として脈波振幅を検出する。圧力検出部３０６は、圧力信号と脈波検出データに基づいて脈波を検出した時点の圧迫圧力を算出し、データ記憶部３０７では、脈波より得られた脈波振幅と脈波検出時圧力とを対応させたデータを記憶する。特徴量算出部３０８は、予め設定されたアルゴリズムに基づいて、データ記憶部３０７に記憶されたデータから循環器機能を反映した特徴量を算出する。機能判定部３０９は、特徴量算出部３０８が算出した特徴量に基づいて循環器機能を判定する。機能結果出力部３１０は、循環器機能判定結果を出力する装置であり、例えば、表示装置や印字装置である。
【００４０】
次に、機能測定部３が、被測定者の循環器機能を判定する方法について説明する。中央処理部３００は、カフ３０１内の圧力を目標圧力まで急速に加圧する制御信号を圧力制御部３０４に出力する。圧力制御部３０４は、この制御信号に基づいてカフ３０１内に気体を供給してカフ３０１内を加圧する。これにより、被測定者の上腕部は、カフ３０１によって強く圧迫され、カフ３０１下における動脈の血流が阻血される。中央処理部３００は、圧力検出部３０３で検出した圧力が目標圧力、例えば、被測定者の予想される最高血圧より高い所定の圧力に到達すると、カフ３０１内を徐々に減圧する制御信号を圧力制御部３０４に出力する。圧力制御部３０４は、この制御信号に基づいて徐々にカフ３０１内の気体を排気しカフ３０１内の微速減圧を開始する。
【００４１】
次に、検出処理部３０５は、圧力検出部３０３の出力に基づいて、圧力検出部３０３の出力から直流成分等の所定の周波数成分をフィルタ回路でカットし、圧力信号に重畳した脈波を抽出して、この抽出した脈波における脈波振幅を検出する。脈波圧力検出部３０５は、所定のサンプリング間隔で圧力検出部３０３から入力された圧力のうち、脈波を検出した時点の圧迫圧力を検出する。データ記憶部３０７は、脈波振幅と、この脈波振幅を検出した時点の圧迫圧力とを対応させて記憶する。対応して記憶された脈波振幅と圧迫圧力のデータをプロットすると、このプロットは、圧迫圧力の変化に伴って脈波の振幅の大きさが変化するので、脈波の振幅の変化が山型を描くことが知られている。
【００４２】
図５は、本発明の第１の実施形態に係るカフ３０１の圧力の時間的変化を示す。ここで、カフ３０１の圧力の時間的変化は、カフ３０１を目標圧力まで急速に加圧した後、ほぼ一定の速度で微速減圧する過程におけるものであり、横軸は時間を示し、縦軸はカフ３０１の圧力を示す。脈波１０００は、カフ３０１の圧力に重畳している。図６は、本発明の第１の実施形態に係る脈波包絡線を示す。ここで、横軸はカフ３０１の圧力を示し、縦軸は脈波の振幅を示す。図５における脈波１０００を抽出して心拍毎に時系列的に並べた実線は、微小な脈波１０００−１から次第にその振幅が大きな脈波１０００−２、１０００−３、１０００−４となり、その振幅がピークに達した後、次第にその振幅が小さな脈波となる。その結果、心拍毎に時系列で並べた脈波の包絡線（以後、脈波包絡線という）１００１は、破線で示すように山型となる。この圧迫圧力の変化に伴う脈波の振幅の変化は、基本的には血管の非線形な力学的特性（圧力−容積特性）によるため、脈波包絡線は血管の硬さの程度を反映している。
【００４３】
図７は、本発明の第１の実施形態に係る脈波包絡線の基本形状パラメータを示す。ここで、横軸はカフ３０１の圧力を示し、縦軸は脈波の振幅を示す。血管の硬さは、図７における所定位置での幅Ｗや、所定位置での高さＨ、所定位置での傾きθを用いて算出した脈波包絡線の形状特徴量によりを推定することができる。なお、ここでは、カフ３０１の圧力を減圧しながら脈波を測定する構成を示したが、カフ３０１の圧力を加圧しながら脈波を測定する構成としても、同様の山型の脈波包絡線を得ることができるので、脈波包絡線の形状特徴量により循環器機能を推定することができる。特徴量算出部３０８は、脈波包絡線の形状特徴量を算出し、機能判定部３０９は、特徴量算出部３０８が算出した脈波包絡線の形状特徴量に基づいて血管の硬さを判定する。なお、脈波包絡線の形状特徴量は、所定位置での幅Ｗや、所定位置での高さＨ、又は所定位置での傾きθ以外の値から算出されてもよい。また、機能判定部３０９は、所定位置での幅Ｗや、所定位置での高さＨ、又は所定位置での傾きθ以外の値から算出された特徴量を用いて血管の硬さ以外の循環器機能に関する情報を抽出してもよい。さらに、脈波包絡線形状から、一般的にオシロメトリック法と呼ばれる方法で最高血圧、最低血圧、又は平均血圧を推定することができるので、血管の硬さと同時に血圧値を推定してもよい。
【００４４】
圧力検出部３０３は、圧力検出部３０３が検出した圧力が終了目標圧力に到達すると、微速減圧を終了する。中央処理部３００は、カフ３０１内の圧力を略大気圧に戻すための制御信号を圧力制御部３０４に出力する。圧力制御部３０４は、この制御信号に基づいてカフ３０１内の気体を急速排気し、被測定者の上腕部を圧迫から開放する。機能判定部３０９は、予め血管の硬さレベルを血管の硬さが柔らかい方から順に第１段階から第５段階で判定するように設定されている。機能結果出力部３１０は、血管の硬さレベルや血圧値などの循環器機能の判定結果を、例えば、血管硬さレベル「第４段階目」、最高血圧「１５０」、最低血圧「９２」とディスプレイ表示、又は印字出力する。機能結果出力部３１０は、状態判定部２の判定結果に基づいて、循環器機能測定結果の信頼性を示すＬＥＤを備えてもよい。機能結果出力部３１０は、状態判定部２がリラックス状態であると判定したとき、循環器機能測定結果を出力するのと同時にＬＥＤを点灯させる。
【００４５】
次に、本実施形態における本システムの動作について説明する。図８は、本発明の第１の実施形態に係る本システムの動作フローを示す。本システム１００は、被測定者が本システム１００に着座して測定部２１に指を入れ、カフ３０１を上腕部に装着して電源を投入することにより、測定を開始する。電源が投入されると、中央処理部３００は、誘導部１を作動させる制御信号を出力する。誘導部１は、この制御信号に基づいて被測定者をリラックス状態に誘導する動作を開始する（Ｓ１）。ここで、被測定者をリラックス状態に誘導する動作とは、例えば、画像表示部１０１が自然の風景などリラックスするのに適した画像を表示することや、音声楽曲発生部１０２がクラシックやヒーリングミュージックなどの楽曲を発生させることや、マッサージ機構部１０３が施療子により、被測定者の肩、背中、腰や脚などの部位を揉んだり、叩いたりして、マッサージを行うことである。これにより、循環器機能システム１００は、被測定者をリラックスさせた状態で循環器機能を測定することができるので、信頼性の高い測定結果を得ることができる。被測定者は、この信頼性の高い循環器機能測定結果に基づいて診断及び対処を受けることができる。
【００４６】
中央処理部３００は、誘導部１が所定時間動作したことを検知する回路を備え、誘導部１が所定時間動作したことを検知すると、状態判定部２を動作させる制御信号を出力する。状態判定部２は、この制御信号に基づいて、被測定者のリラックス状態の判定を開始する（Ｓ２）。なお、中央処理部３００は、外部から状態判定部２を動作させる操作が行われたことに応じて、状態判定部２を動作させる制御信号を出力する構成としてもよい。状態判定部２は、脈波計１０４において被測定者の脈波を計測する。中央処理部３００は、状態判定部２がリラックス状態を判定したことに応じて、循環器機能を測定させる制御信号を機能測定部３に出力する。機能測定部３は、この制御信号に基づいて、被測定者の循環器機能を測定する（Ｓ３）。なお、中央処理部３００は、外部から操作されることにより、循環器機能を測定させる制御信号を機能測定部３に出力する構成であっても構わない。
【００４７】
なお、リラックス誘導１は、状態判定部２及び機能測定部３の動作に影響を与えないときは、状態判定部２及び機能測定部３の動作中もリラックス誘導動作を行うことが望ましい。画像表示部１０１、又は音声楽曲発生部１０２は、状態判定部２及び機能測定部３の動作に影響を与えないため、画像の表示や楽曲の発生を行うことが望ましい。一方、マッサージ機構部１０３は、被測定者を振動又は移動させることにより、状態判定部２及び機能測定部３の動作に影響を与える可能性があるので、マッサージを停止するか、状態判定部２及び機能測定部３の動作に影響を与えないマッサージ動作を行うことが望ましい。
【００４８】
図９は、本発明の第２の実施形態における本システム１００の構成を示す。状態判定部２は、判定した判定結果を報知する状態報知部４を備える。状態報知部４は、例えば、液晶ディスプレイで構成され、状態判定部２が判定したリラックス度を文字や棒グラフで表示する。図１０は、本発明の第２の実施形態における状態報知部４の表示画面を示す。状態報知部４は、状態判定部２が判定したリラックス度をリラックス度として５段階で表示する。これにより、状態報知部４は、被測定者のリラックス状態を報知するので、被測定者はリラックス状態を知ることができる。被測定者は、リラックス状態にあることを認識したときに機能測定部３を動作させることで、容易にリラックスした状態における循環器機能を測定することができる。また、被測定者は、状態報知部４のリラックス状態でない旨の表示を、再度、誘導部１を作動させる目安にすることができる。なお、状態報知部４は、ＬＥＤ、又は音声発生装置を備えてもよい。なお、繰り返しリラックス状態を判定しても、状態報知部４がリラックス状態でない旨を表示したとき、被測定者は、循環器機能の測定を中止してもよいし、リラックスしていない状態を認識した上で循環器機能を測定してもよい。
【００４９】
図１１は、本発明の第３の実施形態における本システム１００の構成を示す。本実施形態の本システム１００は、開始時間制御部５（以下、時間制御部という）を備える。時間制御部５は、状態判定部２がリラックス状態にあると判定した後に、循環器機能の測定を開始させるタイミングを決定する。状態判定部２は、被測定者がリラックス状態にあるか否かを判定し、判定内容を示す信号を時間制御部５に出力する。時間制御部５は、この信号に基づいて、機能測定部３の動作を開始させるタイミングを制御する制御信号を機能測定部３に出力する。
【００５０】
図１２は、本発明の第３の実施形態における本システム１００の動作フローを示す。誘導部１が動作すると（Ｓ４）、状態判定部２は、被測定者のリラックス状態を判定する（Ｓ５）。状態判定部２は、被測定者がリラックスした状態でないと判定すると（Ｓ６でＮｏ）、リラックスした状態でないことを示す信号を時間制御部５に信号を出力し、時間制御部５は、所定の時間経過後、再び状態判定部２に被測定者のリラックス状態を判定させる（Ｓ５）。
【００５１】
一方、状態判定部２は、被測定者がリラックスした状態であると判定すると、（Ｓ６でＹｅｓ）、リラックスした状態であることを示す信号を時間制御部５に信号を出力し、時間制御部５は、機能測定部３を動作させる制御信号を機能測定部３に出力する。機能測定部３は、時間制御部５からの制御信号に応じて、被測定者の循環器機能を測定する（Ｓ７）。これにより、時間制御部５は、状態判定部がリラックス状態にあると判断したことに応じて機能測定部３を動作させるので、被測定者は、機能測定部３が開始したか否かを意識する必要がなくなり、よりリラックスし易い環境で循環器機能の測定を受けることができる。
【００５２】
図１３は、本発明の第４の実施形態における本システム１００の構成を示す。本実施形態の本システム１００は、誘導制御部６を備える。誘導制御部６は、状態判定部２の判定内容に応じて誘導部１の動作内容を選択し、この選択した動作内容で誘導部１を動作させる。図１４は、本発明の第４の実施形態における本システム１００の動作フローを示す。誘導部１が動作すると（Ｓ８）、状態判定部２は、被測定者のリラックス状態を判定する（Ｓ９）。状態判定部２は、被測定者がリラックスした状態でないと判定すると（Ｓ１０でＮｏ）、リラックスした状態でないことを示す信号を誘導制御部６に信号を出力する。誘導制御部６は、誘導部１の動作内容を選択し（Ｓ１１）、この選択した動作内容で誘導部１を動作させる（Ｓ８）。一方、状態判定部２は、被測定者がリラックスした状態であると判定すると、（Ｓ１０でＹｅｓ）、リラックスした状態であることを示す信号を誘導制御部６に信号を出力し、誘導制御部６は、誘導部１の動作内容を変更しない。機能測定部３は、被測定者の循環器機能を測定する（Ｓ１２）。
【００５３】
次に、ステップＳ１１において、誘導制御部６が選択する誘導部１の動作内容について説明する。誘導制御部６は、誘導部１の動作時間を延長させる動作を選択することができる。誘導制御部６は、誘導部１が動作開始してからリラックス状態部２が判定するまでに要した時間に所定率を乗算した値、例えば、リラックス誘導１の動作時間の８０％だけ、誘導部１の動作時間を延長させる。また、誘導制御部６は、リラックス判定部２が判定したリラックス度に応じて、誘導部１の動作時間を延長させてもよく、例えば、リラックス度第３段階目であると判定されれば、あと５分リラックス動作を延長させるようにしてもよい。
【００５４】
また、誘導制御部６は、誘導部１の動作の種類を変更してもよい。誘導制御部６は、例えば、誘導部１が画像表示装置１０１による画像提示と、音声楽曲発生部１０２による楽曲の発生と、マッサージ機構部１０３によるマッサージを行っていたとき、画像表示装置１０１のみを動作させるようにしてもよい。また、誘導部１はリラックス判定部２が判定したリラックス度に応じて、誘導部１の種類を変更させてもよく、例えば、リラックス度が第１段階目であるとき、まず、マッサージ機構部１０３によるマッサージを行い、マッサージ動作の終了後に、画像表示装置１０１、及び音声楽曲発生部１０２を作動させるようにしてもよい。これにより、誘導部１は、状態判定部２の判定内容に応じて動作時間や動作種類を適宜変更するので、被測定者を容易にリラックスした状態に誘導することができる。
【００５５】
図１５は、本発明の第５の実施形態における本システム１００の構成を示す。本実施形態の本システム１００は、信頼性評価部７（以下、評価部という）と、信頼性報知部８（以下、報知部という）とを備える。状態判定部２は、機能測定部３が測定を開始する前、又は測定中に、被測定者のリラックス状態を判定する。評価部７は、状態判定部２の判定に基づいて、機能測定部３が測定した測定値の信頼性を評価し、報知部８は、この評価部７が評価した結果を報知する。評価部７は、状態判定部２が判定するリラックス度に応じて信頼性を評価する。評価部７は、例えば、リラックス度が第２段階目のとき、「信頼性が低い」、又は「信頼性レベル２」と評価する。報知部８は、液晶ディスプレイや音声発生器で構成され、評価部７が評価した内容を液晶ディスプレイに表示、又は音声にて報知する。
【００５６】
図１６は、本発明の第５の実施形態における本システム１００の動作フローを示す。誘導部１が動作すると（Ｓ１３）、状態判定部２は、被測定者のリラックス状態を判定する（Ｓ１４）。評価部７は、状態判定部２が判定した結果に基づいて、機能測定部３が測定した測定値の信頼性を評価する（Ｓ１５）。報知部８は、評価部７が評価した内容を報知する（Ｓ１６）。これにより、報知部８は、評価部７が評価した循環器機能測定値の信頼性を報知するので、被測定者は、容易に循環器機能測定値の信頼性を判断することができる。被測定者は、この信頼性の高い循環器機能測定値を目安として、再度、循環器機能を測定するか否かを判断することできると共に、信頼性の高い循環器機能測定値に基づいた診断、及び対処を受けることができる。
【００５７】
図１７は、本発明の第６の実施形態における本システム１００の構成を示す。本実施形態の本システム１００は、評価部７に加え、測定結果補正部２０（以下、補正部という）を備える。状態判定部２は、機能測定部３が測定を開始する前、又は測定中に、被測定者のリラックス状態を判定する。補正部２０は、表２に基づいて機能測定部３が測定した循環器機能測定値を補正する。
【表２】
2007097615.tif 000004
ここで、リラックス状態判定時の脈拍数Ｐｒと安静状態における脈拍数Ｐｓの差であるＰｒ−Ｐｓを「−２０未満」、「−２０以上−１０未満」、「−１０以上１０未満」、「１０以上２０未満」、「２０以上」の５段階に範囲分けし、それぞれの範囲にリラックス判定部２が判定するリラックス度、及び評価部７が評価した信頼性を対応させている。
【００５８】
ここで、評価部７が評価した信頼性が「１」のとき、循環器機能補正値を−Ｃ１とし、信頼性が「２」のとき、循環器機能補正値を−Ｃ２とし、それ以外のときは、循環器機能補正値を０（補正なし）とする。これは、信頼性が標準値である「３」より低いときは、被測定者はリラックスした状態ではないため、循環器機能測定値は、リラックスした状態で測定したときより高くなっていると考えられる。そこで、補正部２０は、信頼性の数値に応じた所定の値を機能測定部３が測定した循環器機能測定値から減算することで、循環器機能測定値を補正する。なお、補正部２０は、信頼性が「４」のとき、循環器機能補正値を＋Ｃ４とし、信頼性が「５」のとき、循環器機能補正値を＋Ｃ５として循環器機能測定値を補正してもよい。
【００５９】
図１８は、本発明の第６の実施形態における本システム１００の動作フローを示す。誘導部１が動作すると（Ｓ４５）、状態判定部２は、被測定者のリラックス状態を判定し（Ｓ４６）、機能測定部は、被測定者の循環器機能を測定する（Ｓ４７）。評価部７は、状態判定部２が判定した結果に基づいて、機能測定部３が測定した測定値の信頼性を評価する（Ｓ４８）。補正部２０は、評価部７が評価した信頼性に応じて、機能測定部３が測定した循環器機能測定値を補正する（Ｓ５０）。これにより補正部２０は、循環器機能測定値を補正するので、被測定者は、機能測定部３が測定した循環器機能測定値の信頼性が低いときであっても、測定し直すことなく信頼性の高い循環器機能測定値を得ることができる。
【００６０】
次に、本発明の第７の実施形態における本システム１００について説明する。本実施形態の本システム１００において、誘導部１は、被測定者を精神的かつ肉体的なリラックス状態に誘導させる複数のリラックス誘導動作を有する。誘導部１は、画像表示装置１０１、音声楽曲発生部１０２、及びマッサージ機構部１０３に加えて、例えば、ハーブやアロマの香りを放出して被測定者の嗅覚を刺激する芳香放出機構、被測定者に適度の潤いを与える水や暖かさやカルシウムを含むホットミルクを提供する飲料提供機能、被測定者に電磁波を照射して血行を促進する熱付与機構、室内の空気換気、空気清浄、又は室温を調整する室内環境調整機構などを備える。
【００６１】
さらに、誘導部１は、マイナスイオンを発生させるマイナスイオン発生機構、酸素を発生させる酸素発生機構、室内の照明光度を調整する光度調整機構を備えてもよい。図１９は、本発明の第７の実施形態における本システム１００の変形例を示す。図１９に示すように、誘導部１は、被測定者に負担を与えない姿勢を保つことができるベッド４００を備える。さらに、誘導部１は、枕、椅子、肘置き台、又は浴室を備えてもよい。これにより、誘導部１は、被測定者を精神的かつ肉体的にリラックスした状態に誘導することができるため、機能測定部３は、より信頼性の高い測定値を得ることができる。
【００６２】
図２０は、本発明の第８の実施形態における本システム１００の構成を示す。本実施形態の状態判定部２は、誘導部１の稼動時間を測定する稼働時間測定部９（以下、時間測定部という）を備える。状態判定部２は、時間測定部９が測定した誘導部１の稼動時間に基づいて被測定者のリラックス状態を判定する。時間測定部９は、表３に示すように、予め誘導部１の稼働時間Ｔｎと被測定者のリラックス状態ＲＳｎとを対応させたデータを保持している。ここで、ｎは１、２、３・・・nendと増加していく変数であり、nendは被測定者がリラックスした状態となるときの値である。稼働時間Ｔｎとリラックス状態ＲＳｎは、任意に設定可能であり、被測定者の年齢や性別によって設定されることが望ましい。
【表３】
2007097615.tif 000005
【００６３】
ここで、稼働時間Ｔｎが１０分のときのリラックス状態ＲＳｎが「３」とすると、時間測定部９は、誘導部１の稼働時間が１０分であると測定するので、状態判定部２は、稼働時間Ｔｎが１０分に対応するリラックス状態ＲＳｎが「３」であると判定する。時間測定部９は、予め定められたｎがｎ＝ｅｎｄに達するまで、すなわち、被測定者がリラックスした状態となるまで誘導部１の稼働時間を測定する。
【００６４】
図２１は、本発明の第８の実施形態における本システム１００の動作フローを示す。誘導部１が動作を開始すると（Ｓ１７）、時間測定部９は、変数ｎに１をセットする（Ｓ１８）。ｎ＝１のとき、時間測定部９は、誘導部１の稼働時間Ｔ１が経過したことを測定し（Ｓ１９）、稼働時間Ｔ１に対応するリラックス状態ＲＳ１を判定する。リラックス状態ＲＳ１がｎ＝ｅｎｄでないとき（Ｓ２１でＮｏ）、時間測定部９は、ｎに１を増加し（Ｓ２２）、誘導部１の稼働時間Ｔ２が経過したことを測定する（Ｓ１９）。リラックス状態ＲＳ１が予め設定されたｎ＝ｅｎｄのとき（Ｓ２１でＹｅｓ）、機能測定部３は被測定者の循環器機能を測定して終了する。これにより、状態判定部２は、誘導部１の稼働時間Ｔｎを計測することで、簡便に被測定者のリラックス状態を判定することができる。
【００６５】
図２２は、本発明の第９の実施形態における本システム１００の構成を示す。状態判定部２は、生体情報測定部１０（以下、情報測定部という）と、生体情報分析部１１（以下、情報分析部という）とを備える。情報測定部１０は、被測定者の生体情報を測定し、情報分析部１１は、この情報測定部１０が測定した生体情報を分析する。状態判定部２は、情報分析部１１の分析結果に基づいて被測定者のリラックス状態を判定する。情報分析部１１は、被測定者の脈波を測定する測定部２１の他に、心電図を用いて心拍数を得る心拍数測定部、発汗状態を測定する発汗状態測定部、脳波を測定する脳波測定部、体温を測定する体温測定部、眼球の運動状態を調べる眼球運動測定部、又は血行度合いを測定する血行測定部などにより構成される。
【００６６】
情報分析部１１は、予め被測定者がリラックスした状態における心拍数、発汗量、脳波、体温、眼球運動状態、血行度合いを記憶しており、情報測定部１０が測定した各生体情報と比較する。また、情報分析部１１は、誘導部１が作動する前に測定した各生体情報と、誘導部１が作動した後に測定した各生体情報を比較してもよい。状態判定部２は、情報分析部１１が比較した各生体情報に基づいて被測定者のリラックス状態を判定する。
【００６７】
図２３は、本発明の第９の実施形態における本システム１００の動作フローを示す。誘導部１が動作を開始すると（Ｓ２２）、情報測定部１０は、各生体情報を取得し（Ｓ２３）、情報分析部１１は、予め記憶している被測定者がリラックスした状態における各生体情報と、情報測定部１０が取得した各生体情報を比較する（Ｓ２４）。状態判定部２は、情報分析部１１が比較した各生体情報に基づいて被測定者のリラックス状態を判定し（Ｓ２５）、機能測定部３は、被測定者の循環器機能を測定する（Ｓ２６）。これにより、状態判定部２は、被測定者の生体情報に基づいてリラックス状態を判定するので、正確に被測定者のリラックス状態を判定することができる。
【００６８】
図２４は、本発明の第１０の実施形態における本システム１００の構成を示す。状態判定部２は、精神状態判定部１２（以下、判定部という）と、肉体状態判定部１３（以下、判定部という）を備える。判定部１２は、被測定者の精神的リラックス状態を判定し、判定部１３は、肉体的リラックス状態を判定する。判定部１２は、被測定者の自律神経の状態、心拍数、発汗量、脳波などを測定することにより精神的なリラックス状態を判定し、精神状態判定部１３は、被測定者の血行、体温、筋肉の硬さなどを測定することにより肉体的なリラックス状態を判定する。図２５は、本発明の第１０の実施形態におけるリラックス度を表示した状態を示す。状態判定部２は、状態報知部４を備えるとき、判定部１２が判定した精神的リラックス状態と、判定部１３が判定した肉体的リラックス状態を、例えば、５段階の棒グラフとして表示する。これにより、被測定者は、精神的リラックス状態と肉体的リラックス状態を知ることができる。
【００６９】
図２６は、本発明の第１０の実施形態における本システム１００の動作フローを示す。誘導部１が動作を開始すると（Ｓ２７）、情報測定部１０は、各生体情報を取得し（Ｓ２８）、情報分析部１１は、情報測定部１０が取得した各生体情報を分析する（Ｓ２９）。判定部１２と判定部１３は、情報測定部１０が分析した結果に基づいて、被測定者の精神的リラックス状態と肉体的リラックス状態を判定する（Ｓ３０）。判定部１２と判定部１３が精神的リラックス状態と肉体的リラックス状態を判定すると、機能測定部３は、被測定者の循環器機能を測定する（Ｓ３１）。これにより、状態判定部２は、被測定者の精神的なリラックス状態と肉体的なリラックス状態を判定するので、被測定者は、きめ細かく自己のリラックス状態を知ることができる。
【００７０】
図２７は、本発明の第１１の実施形態における本システム１００の構成を示す。本システム１００は、生体データ測定部１４（以下、データ測定部という）と、生体データ分析部１５（以下、データ分析部という）と、誘導動作選択部１６（以下、動作選択部という）を備える。誘導部１は、順次、被測定者に対して複数の異なるリラックス誘導動作を実行する。データ測定部１４は、誘導部１の動作中に被測定者の生体に関する生体データを測定し、データ分析部１５は、このデータ測定部１４が測定した生体データの変化傾向を分析する。動作選択部は、データ分析部１５が分析した結果に基づいて被測定者に効果的なリラックス誘導動作を選択する。
【００７１】
図２８は、本発明の第１１の実施形態における本システム１００の動作フローを示す。中央処理部３００は、変数ｎに１をセットする（Ｓ３２）。ここで、ｎは１から順にｎ＝ｅｎｄになるまで増加する変数である。変数ｎは、誘導部１のリラックス誘導動作の種類に対応しており、例えば、誘導部１のリラックス誘導動作の種類が５種類のとき、ｅｎｄは５となる。誘導部１は、Ｒ１に対応するリラックス誘導動作Ｒ１を実行し（Ｓ３３）、データ測定部１４は、被測定者の生体データを測定する（Ｓ３４）。データ分析部１５は、データ測定部１４が測定した生体データを分析する。（Ｓ３５）。データ測定部１４は、生体データを分析した分析結果を生体データ分析結果Ａ１として、リラックス誘導動作Ｒ１に対応させて記憶する（Ｓ３６）。中央処理部３００は、ｎ＝ｅｎｄでないとき（Ｓ３７でＮｏ）、ｎに１を加えて（Ｓ３８）誘導部１を動作させる（Ｓ３３）。
【００７２】
ｎ＝ｅｎｄのとき（Ｓ３７でＹｅｓ）、動作選択部１６は、各リラックス誘導動作Ｒｎに対応した生体データ分析結果Ａｎを比較し（Ｓ３９）、例えば、脈拍数の低下傾向が著しいことなどから、最も被測定者をリラックスさせた生体データ分析結果Ａｎに対応するリラックス誘導動作Ｒｎを、被測定者をリラックスさせるのに有効なリラックス誘導動作Ｒｕとして選択する（Ｓ４０）。このとき、動作選択部１６は、選択した有効なリラックス誘導動作Ｒｕを記憶してもよい（Ｓ４１）。
【００７３】
動作選択部１６は、選択した有効なリラックス誘導動作Ｒｕで誘導部１を動作させ（Ｓ４２）、状態判定部２は、被測定者のリラックス状態を判定し（Ｓ４３）、機能測定部３は、被測定者の循環器機能を測定する（Ｓ４４）。なお、動作選択部１６は、同じリラックス誘導動作Ｒｎにおいて、例えば、画像表示装置１０１に表示する画像の中で最も被測定者をリラックスさせる画像を選択してもよい。また、動作選択部１６は、被測定者をリラックスさせる異なるリラックス誘導動作Ｒｎの動作順序を決定して、決定した動作順序で誘導部１を動作させてもよい。これにより、動作選択部１６は、被測定者を最もリラックスさせるリラックス誘導動作Ｒｎで誘導部１を動作させることができるので、被測定者を効率よくリラックスした状態に誘導させることができる。
【００７４】
図２９は、本発明の第１２の実施形態における本システム１００の構成を示す。本システム１００は、改善動作選択部１７（以下、改善選択部という）を備える。改善選択部は、機能測定部３の測定結果に基づいて、循環器機能の改善に効果的なリラックス誘導動作を選択する。誘導部１は、改善選択部１７が選択したリラックス誘導動作を実行する。改善選択部１７が、例えば、被測定者の特定の部位の「血行が悪い」と判定すると、誘導部１のマッサージ機構部１０３に血行の悪い部位をマッサージさせるリラックス誘導動作を選択して、誘導部１に実行させる。
【００７５】
また、改善選択部１７が、例えば、「血圧が高い」、「血管が硬い」と判定すると、それらの原因としてストレスが考えられるため、被測定者をリラックスさせるリラックス誘導動作を選択し、このリラックス誘導動作で誘導部１を動作させる。血管が硬いと、動脈の硬化が末梢血管抵抗と関連し末梢動脈の血流量を決定されることが考えられるため、改善選択部１７は、血管が硬く血流が減少している部位の血流を促進させるようなリラックス誘導動作を選択して、誘導部１に実行させる。これにより、改善選択部１７は、循環器機能の測定結果に基づいて、被測定者の循環器機能を改善させるリラックス誘導動作を選択し、このリラックス誘導動作で誘導部１を動作させることにより、被測定者の循環器機能の改善を促すことができる。
【００７６】
図３０は、本発明の第１３の実施形態における本システム１００の構成を示す。機能測定部３は、脈波測定部１８（以下、測定部という）と、脈波分析部１９（以下、分析部という）とを備える。測定部１８は、被測定者の脈波を測定し、分析部１９は、測定部１８が測定した脈波を分析する。機能測定部３は、分析部１９の分析結果に基づいて被測定者の循環器機能を推定する。測定部１８は、被測定者の上腕に装着されたカフ３０１の圧迫圧力を変化させた時の脈波を抽出し分析することにより、血圧と血管の硬さを同時に測ることができる。また、機能測定部３は、脈波計２０１で採取した脈波の加速度脈波と呼ばれる二次微分波形から動脈硬化や血液循環など血管に関する情報を得ることができる。
【００７７】
図３１は、本発明の第１３の実施形態における加速度脈波の概要を示す。分析部１９は、測定部１８が測定した脈波を二次微分することにより、元波形のわずかな変曲点を明瞭化させ特徴化させ、二次微分波形の特徴を、ａからｅまでの５つのピークの波高（ｈａ、ｈｂ、ｈｃ、ｈｄ、ｈｅ）の比等を用いて定量化する。これにより、機能測定部３は、被測定者の循環器機能を推定する。図３２は、本発明の第１３の実施形態におけるＡＩ（Ａｕｇｍｅｎｔａｔｉｏｎ  Ｉｎｄｅｘ）の概要を示す。測定部１８は、橈骨動脈や頚動脈に設置した脈波センサにより、ＡＩと呼ばれる動脈硬化に関連した脈波指標を測定する。ここで、ＡＩは脈圧に対する収縮期後方成分から収縮期前方成分を引いたものの割合であり、図３２において、脈圧ＰＰに対する収縮期後方成分Ｐ２から収縮期前方成分Ｐ１を引いたΔＰの割合、もしくは、Ｐ１に対するＰ２の割合を算出した値である。また、左心室からの血液駆出によって生ずる駆動圧波に対する反射波の割合を定量化した指標である。分析部１９は、ＡＩが加齢・高血圧・動脈硬化・末梢血管収縮などにより上昇する特性を有することから、測定部１８が測定した脈波を分析する。
【００７８】
図３３は、本発明の第１３の実施形態における足関節上腕血圧の測定状態を示す。測定部１８は、被測定者の両上腕部と両足首にカフ１０５を装着することにより、血圧、脈波伝播速度ＰＷＶ（Ｐｕｌｓｅ  Ｗａｖｅ  Ｖｅｌｏｃｉｔｙ）、又はＡＢＩ（Ａｎｋｌｅ−Ｂｒａｃｈｉａｌ  Ｉｎｄｅｘ：足関節上腕血圧比）などの、動脈硬化を含めた循環器機能に関する指標を得る。ここで、ＡＢＩを測定するときは、両腕、両足、及び心臓の高さを同一にする必要があり、これらの高さが同一でなければ、測定部位の高さを検知して血圧値を補正する機構が必要である。このように、機能測定部３は、測定部１８が測定した脈波、血圧、又は動脈硬化度を、分析部１９が分析することにより、信頼性が高く有益な循環器機能測定指標を得ることができる。
【００７９】
なお、本発明は、上記各種実施形態の構成に限られず、発明の趣旨を変更しない範囲で種々の変形が可能である。例えば、状態判定部２の情報測定部１０、及び情報分析部１１は、心拍変動から算出した変動係数、ＬＦ（低周波成分）、ＨＦ（高周波成分）、ＬＦ／ＨＦ（成分比）を用いる構成であってもよい。また、機能測定部３の測定部１８、及び分析部１９は、脈波包絡線分析などの脈波分析、心電図分析、ＣＴやＭＲＩなどの画像診断、ＩＭＴ（Ｉｎｔｉｍａ−Ｍｅｄｉａ  Ｔｈｉｃｋｎｅｓｓ）、ｓｔｉｆｆｎｅｓｓ  ｐａｒａｍｅｔｅｒβなどの超音波診断、又はＦＭＤ（Ｆｌｏｗ−ｍｅｄｉａｔｅｄ  ｄｉｌａｔａｔｉｏｎ：血流依存性血管拡張能）などの評価を用いる構成であっても構わない。
【図面の簡単な説明】
【００８０】
【図１】本発明の第１の実施形態における本システムの構成図。
【図２】同本システム１００の構成を示すブロック図。
【図３】同状態判定部２の構成を示すブロック図。
【図４】同機能測定部３の構成を示すブロック図。
【図５】同カフ３０１の圧力の時間的変化を示す説明図。
【図６】同脈波包絡線を示す説明図。
【図７】同脈波包絡線の基本形状パラメータを示す説明図。
【図８】同本システム１００の動作を示すフロー。
【図９】本発明の第２の実施形態における本システム１００の構成を示すブロック図。
【図１０】同状態報知部４の表示画面を示す説明図。
【図１１】本発明の第３の実施形態における本システム１００の構成を示すブロック図。
【図１２】同本システム１００の動作を示すフロー。
【図１３】本発明の第４の実施形態における本システム１００の構成を示すブロック図。
【図１４】同本システム１００の動作を示すフロー。
【図１５】本発明の第５の実施形態における本システム１００の構成を示すブロック図。
【図１６】同本システム１００の動作を示すフロー。
【図１７】本発明の第６の実施形態における本システム１００の構成を示すブロック図。
【図１８】同本システム１００の動作を示すフロー。
【図１９】同本システム１００の変形例を示す構成図。
【図２０】本発明の第８の実施形態における本システム１００の構成を示すブロック図。
【図２１】同本システム１００の動作を示すフロー。
【図２２】同本発明の第９の実施形態における本システム１００の構成を示すブロック図。
【図２３】同本システム１００の動作を示すフロー。
【図２４】同本発明の第１０の実施形態における本システム１００の構成を示すブロック図。
【図２５】同リラックス度を表示した状態を示す説明図。
【図２６】同本システム１００の動作を示すフロー。
【図２７】同本発明の第１１の実施形態における本システム１００の構成を示すブロック図。
【図２８】同本システム１００の動作を示すフロー。
【図２９】本発明の第１２の実施形態における本システム１００の構成を示すブロック図。
【図３０】本発明の第１３の実施形態における本システム１００の構成を示すブロック図。
【図３１】同加速度脈波の概要を示す説明図。
【図３２】同ＡＩ（Ａｕｇｍｅｎｔａｔｉｏｎ  Ｉｎｄｅｘ）の概要を示す説明図。
【図３３】同足関節上腕血圧の測定状態を示す説明図。
【符号の説明】
【００８１】
１  誘導部
２  状態判定部
３  機能測定部
４  状態報知部
５  開始時間制御部
７  信頼性評価部
８  信頼性報知部
９  稼働時間測定部
１０  生体情報測定部
１１  生体情報分析部
１２  精神状態判定部
１３  肉体状態判定部
１４  生体データ測定部
１５  生体データ分析部
１６  誘導動作選択部
１７  改善動作選択部
１８  脈波測定部
１９  脈波分析部
２０  測定結果補正部
１００  循環器機能測定システム
【図１】
2007097615.tif 000006
【図２】
2007097615.tif 000007
【図３】
2007097615.tif 000008
【図４】
2007097615.tif 000009
【図５】
2007097615.tif 000010
【図６】
2007097615.tif 000011
【図７】
2007097615.tif 000012
【図８】
2007097615.tif 000013
【図９】
2007097615.tif 000014
【図１０】
2007097615.tif 000015
【図１１】
2007097615.tif 000016
【図１２】
2007097615.tif 000017
【図１３】
2007097615.tif 000018
【図１４】
2007097615.tif 000019
【図１５】
2007097615.tif 000020
【図１６】
2007097615.tif 000021
【図１７】
2007097615.tif 000022
【図１８】
2007097615.tif 000023
【図１９】
2007097615.tif 000024
【図２０】
2007097615.tif 000025
【図２１】
2007097615.tif 000026
【図２２】
2007097615.tif 000027
【図２３】
2007097615.tif 000028
【図２４】
2007097615.tif 000029
【図２５】
2007097615.tif 000030
【図２６】
2007097615.tif 000031
【図２７】
2007097615.tif 000032
【図２８】
2007097615.tif 000033
【図２９】
2007097615.tif 000034
【図３０】
2007097615.tif 000035
【図３１】
2007097615.tif 000036
【図３２】
2007097615.tif 000037
【図３３】
2007097615.tif 000038